(57)【要約】      （修正有）【課題】飲水量を制御でき、小さいペットの飲水時の出水量過多による水漏れを防止でき、各種サイズのペットの飲水に適合するペット用飲水器を提供する。【解決手段】コネクタを具え、該コネクタの下端に給水管が設けられ、該コネクタが容器の下方に接続され、該容器内に水が収容され、給水管内に少なくとも一つのビーズが置かれ、ビーズが給水管内を移動可能であり、並びにビーズが給水管の末端出口を封鎖可能で、ペットが舐めてビーズが移動することにより出水するペット用飲水器において、給水管内に所定長さの制御ロッドが置かれ、該制御ロッドが所定距離を上向きに移動して当て止めされ、ビーズが上向きに移動する時に制御ロッドの阻止を受けてビーズと給水管出口の出水間隙が制御されてペット用飲水器の飲水量が制御される。【選択図】図２
0003111567.tif 000002
【実用新案登録請求の範囲】
【請求項１】
コネクタを具え、該コネクタの下端に給水管が設けられ、該コネクタが容器の下方に接続され、該容器内に水が収容され、給水管内に少なくとも一つのビーズが置かれ、ビーズが給水管内を移動可能であり、並びにビーズが給水管の末端出口を封鎖可能で、ペットが舐めてビーズが移動することにより出水するペット用飲水器において、給水管内に所定長さの制御ロッドが置かれ、該制御ロッドが所定距離を上向きに移動して当て止めされ、ビーズが上向きに移動する時に制御ロッドの阻止を受けてビーズと給水管出口の出水間隙が制御されてペット用飲水器の飲水量が制御されることを特徴とする、ペット用飲水器。
【請求項２】
請求項１記載のペット用飲水器において、給水管の内壁の所定の位置にストッパ部品が設けられ、制御ロッドの上への移動時のストッパ作用を形成し、移動後のビーズと出口との間の小間隙を保持することを特徴とする、ペット用飲水器。
【考案の詳細な説明】
【技術分野】
【０００１】
本考案はペット用飲水器に係り、特に、出水量を調整できる飲水量制御可能なペット用飲水器に関する。
【背景技術】
【０００２】
周知のとおり、ペット用品は犬、猫、ネズミ、兎等の飼育に必要な用具であり、そのうち飲水用具は毎日使用が必要な器具であり、飲水容器は給水管の設置により、消費者に喜ばれている。しかしその周辺環境を濡らし、水が床に滴るという問題を有している。
【０００３】
図１は周知のペット用飲水器を示し、ペットボトルが容器１とされ、容器１の瓶口２にコネクタ３が螺合させ、該コネクタ３の下方に斜めに給水管４が設置させ、給水管４の末端内にビーズ５が置かれ、且つ給水管４の末端口径がやや縮小されるか或いは内部に止水リング６が置かれ、ビーズ５をブロックして水の染み出しを防止し、ビーズ５がペットにより舐められることで上に移動し、出水するものとされている。
【０００４】
容器１が満水とされる時、ペットが給水管４の末端を舐めてビーズ５を上に移動させると、ビーズ５は給水管４をブロックしなくなって水が流出し、ペットの飲水に供される。このようにビーズ５が上に移動する時、水が流出し、ビーズ５が下向きに給水管４をブロックする時、水が流出しない。
【考案の開示】
【考案が解決しようとする課題】
【０００５】
飼育するペットのサイズはさまざまであり、大きなペットに周知の飲水用具を使用する時、飲水量が十分であり、漏れが発生せず、地面を汚さないが、小さいペットがこの飲水用具を使用すると、供給水量が過大で漏れを発生し、地面を濡らすことがある。ゆえに単一規格の飲水用具はサイズの異なるペットに対応できず、不便である。本考案はこの問題を解決した一種のペット用飲水器を提供することを目的とする。
【課題を解決するための手段】
【０００６】
請求項１の考案は、コネクタを具え、該コネクタの下端に給水管が設けられ、該コネクタが容器の下方に接続され、該容器内に水が収容され、給水管内に少なくとも一つのビーズが置かれ、ビーズが給水管内を移動可能であり、並びにビーズが給水管の末端出口を封鎖可能で、ペットが舐めてビーズが移動することにより出水するペット用飲水器において、給水管内に所定長さの制御ロッドが置かれ、該制御ロッドが所定距離を上向きに移動して当て止めされ、ビーズが上向きに移動する時に制御ロッドの阻止を受けてビーズと給水管出口の出水間隙が制御されてペット用飲水器の飲水量が制御されることを特徴とする、ペット用飲水器としている。
請求項２の考案は、請求項１記載のペット用飲水器において、給水管の内壁の所定の位置にストッパ部品が設けられ、制御ロッドの上への移動時のストッパ作用を形成し、移動後のビーズと出口との間の小間隙を保持することを特徴とする、ペット用飲水器としている。
【考案の効果】
【０００７】
本考案は従来の技術の欠点を解決し、飲水量を制御でき、小さいペットの飲水時の出水量過多による水漏れを防止でき、各種サイズのペットの飲水に適合するペット用飲水器を提供している。
【考案を実施するための最良の形態】
【０００８】
図２、３、４に示されるように、本考案はコネクタ１０、給水管１１、制御ロッド１２とビーズ１３を具え、該コネクタ１０の内壁に雌ネジ１０１が設けられ、雌ネジ１０１は容器２０の瓶口２１の雄ネジ２２と螺合可能であり、該コネクタ１０の下方に斜めに給水管１１が設けられ、該給水管１１内は中空とされ、給水管１１内の上方にストッパ部品１１２が設けられ、給水管１１内に制御ロッド１２と少なくとも一つのビーズ１３が置かれ、制御ロッド１２は中空或いは実体のいずれでもよく、給水管１１の末端に雄ネジ１１１が設けられてスリーブリング１４の雌ネジ１４２と接続され、スリーブリング１４の出口１４１内に止水パッキング１５が設けられるかスリーブリング１４の出口１４１の口径が縮小され、該ビーズ１３が出口１４１をブロック可能とされ、該制御ロッド１２はビーズ１３の上の移動を受けて活動し、且つ制御ロッド１２が上に移動してストッパ部品１１２に当接し、制御ロッド１２の活動空間の大きさにより、ビーズ１３と給水管１１の出口１４１の出水間隙が制御される。
【０００９】
上述の構造の組合せにより、本考案は飲水量を制御できるペット用飲水器とされ、図４、５に示されるように、容器２０内に水が収容され、更にコネクタ１０で本考案が容器２０に接続され、瓶口２１がコネクタ１０内でストッパリング２３に当接させられ、その後、容器２０が逆さにされて、給水管１１の出口１４１が下向きとされる。ペットが給水管１１のビーズ１３を舐める時、ビーズ１３が上に移動し、並びに制御ロッド１２を駆動し上に移動させ、該制御ロッド１２の上端がストッパ部品１１２に当接して上への移動が停止す、ビーズ１３が出口１４１から小間隙離れるものとされ、水が小間隙より流出し、これによりペット用飲水器の出水量が制御され、これにより小さいペットの飲水に適用される。
【００１０】
大きなペットの飲水に供する時は、図６に示されるように、制御ロッド１２を取り出し、ビーズ１３がペットに舐められて上に移動することで出水するものとされ、この出水量は上述の実施例より大きく、ビーズ１３が出口１４１より離れて形成する間隙は比較的大きく、比較的大きな出水量を有し、大きなペットの飲水に供される。
【００１１】
本考案はストッパ部品１１２が給水管１１のほぼ中段位置に設置され、該制御ロッド１２の移動の長さを短縮し、ビーズ１３が出口１４１より小間隙のみ離れるようにし、これにより出水量を制限する。或いは調整式の制御ロッド１２を設けて、ビーズ１３の出水口１４１より離れる距離を調整することができ、いずれも本考案の実施の範囲にある。
【００１２】
総合すると、本考案の飲水量を制御できるペット用飲水器は、新規性、進歩性及び実用性を具え、実用新案登録の要件を具備している。
【図面の簡単な説明】
【００１３】
【図１】周知のペット用飲水器の断面図である。
【図２】本考案と容器の立体分解図である。
【図３】本考案と容器の立体組合せ図である。
【図４】本考案と容器の組合せ断面図である。
【図５】本考案が小さいペットの飲水に供される時の断面動作図である（出水量が比較的少ない）。
【図６】本考案が大きいペットの飲水に供される時の断面動作図である（出水量が比較的多い）。
【符号の説明】
【００１４】
１  容器                ２  瓶口
３  コネクタ            ４  給水管
５  ビーズ              ６  止水リング
１０  コネクタ          １０１  雌ネジ
１１  給水管            １１１  雄ネジ
１１２  ストッパ部品    １２  制御ロッド
１３  ビーズ            １４  スリーブリング
１４１  出口            １４２  雌ネジ
１５  止水パッキング    ２０  容器
２１  瓶口              ２２  雄ネジ
２３  ストッパリング
【図１】
0003111567.tif 000003
【図２】
0003111567.tif 000004
【図３】
0003111567.tif 000005
【図４】
0003111567.tif 000006
【図５】
0003111567.tif 000007
【図６】
0003111567.tif 000008